(57)【要約】【課題】使用するコイルバネの振動を早期に減衰させてサージングを効果的に抑制する。【解決手段】ベース１と、ベース１に対して接離可能に取り付けられるボタン３と、ベース１とボタン３の間に配置され、ベース１に対してボタン３を離間方向へと付勢するコイルバネ４とを備える。コイルバネ４は、一端部に形成される座巻部２９ａと、座巻部２９ａに連続し、ベース１に対してボタン３を取り付けた初期状態で圧縮されて、隣接する巻線同士が接触する密巻部３１と、密巻部３１に連続し、巻線ピッチが密巻部３１の巻線ピッチよりも大きく、前記初期状態で、隣接する巻線同士が離れている粗巻部３０とを少なくとも備える。【選択図】図１０
2019046654.tif 000002
【特許請求の範囲】
【請求項１】
ベースと、
前記ベースに対して接離可能に取り付けられるボタンと、
前記ベースと前記ボタンの間に配置され、前記ベースに対して前記ボタンを離間方向へと付勢するコイルバネと、
を備え、
前記コイルバネは、一端部に形成される座巻部と、前記座巻部に連続し、前記ベースに対して前記ボタンを取り付けた初期状態で圧縮されて、隣接する巻線同士が接触する密巻部と、前記密巻部に連続し、巻線ピッチが前記密巻部の巻線ピッチよりも大きく、前記初期状態で、隣接する巻線同士が離れている粗巻部とを少なくとも備える、キースイッチ。
【請求項２】
前記コイルバネは、他端部に座巻部を備える、請求項１に記載のキースイッチ。
【請求項３】
前記コイルバネは、前記他端部の座巻部と前記粗巻部との間に密巻部を備える、請求項２に記載のキースイッチ。
【請求項４】
前記コイルバネの一端部又は他端部に形成される座巻部は、２以上の巻線で構成されている、請求項１から３のいずれか１項に記載のキースイッチ。
【請求項５】
前記座巻部と前記密巻部との巻線数が同じである、請求項１から４のいずれか１項に記載のキースイッチ。
【請求項６】
前記座巻部は前記ボタンと接触する、請求項１から５のいずれか１項に記載のキースイッチ。
【請求項７】
前記座巻部は前記ベースと接触する、請求項１から５のいずれか１項に記載のキースイッチ。
【請求項８】
前記コイルバネは、前記ボタンと前記ベースとの間に形成される導光空間の外部に配置されている、請求項１から７のいずれか１項に記載のキースイッチ。
【発明の詳細な説明】
【技術分野】
【０００１】
本発明は、キースイッチに関するものである。
【背景技術】
【０００２】
従来、キースイッチとして、例えば、ベースから筒状のガイドポストを突出させ、このガイドポストの内径側で導光体をガイドし、外径側に配置したコイルバネで、ボタンを押込可能に弾性支持した構成のキーボードスイッチが公知である（例えば、特許文献１参照）。
【０００３】
しかしながら、前記キースイッチをキーボード等に採用し、ゲームソフトの操作キーとして利用する場合、キースイッチを押し込んだ状態から弾くような操作を行うことがある。この場合、コイルバネにはキースイッチの押込方向の振動が発生する。しかし、前記キースイッチには、振動を抑制する機構がないため、なかなか振動が減衰せず、異音を発生させる原因となっている。
【先行技術文献】
【特許文献】
【０００４】
【特許文献１】中国特許出願公開第１０４８５１７２７号明細書
【発明の概要】
【発明が解決しようとする課題】
【０００５】
本開示は、使用するコイルバネの振動を早期に減衰させてサージングを効果的に抑制できるキースイッチを提供することを課題とする。
【課題を解決するための手段】
【０００６】
本開示のキースイッチの一態様は、
ベースと、
前記ベースに対して接離可能に取り付けられるボタンと、
前記ベースと前記ボタンの間に配置され、前記ベースに対して前記ボタンを離間方向へと付勢するコイルバネと、
を備え、
前記コイルバネは、一端部に形成される座巻部と、前記座巻部に連続し、前記ベースに対して前記ボタンを取り付けた初期状態で圧縮されて、隣接する巻線同士が接触する密巻部と、前記密巻部に連続し、巻線ピッチが前記密巻部の巻線ピッチよりも大きく、前記初期状態で、隣接する巻線同士が離れている粗巻部とを少なくとも備える。
【発明の効果】
【０００７】
本開示によれば、押し込んだボタンから指を離すと、コイルバネが振動するが、座巻部に対して密巻部の巻線が衝突すると共に、密巻部の巻線同士も衝突する。この結果、コイルバネの振動を早期に減衰させてサージングを効果的に抑制できる。
【図面の簡単な説明】
【０００８】
【図１】本実施形態に係るキースイッチの斜視図である。
【図２】図１からカバー及びボタンを外した状態を示す斜視図である。
【図３】図１に示すキースイッチの分解斜視図である。
【図４Ａ】図３のベースの斜視図である。
【図４Ｂ】図４Ａを下方側から見た斜視図である。
【図５】図３の導光体の斜視図である。
【図６】図３のカバーの斜視図である。
【図７Ａ】図３のボタンを上方から見た斜視図である。
【図７Ｂ】図７Ａのボタンを下方から見た斜視図である。
【図８】図３のコイルバネの斜視図である。
【図９Ａ】図３の第１接触片の斜視図である。
【図９Ｂ】図３の第２接触片の斜視図である。
【図１０】図１に示すキースイッチの正面断面図である。
【図１１Ａ】他の実施形態に係るコイルバネの正面図である。
【図１１Ｂ】他の実施形態に係るコイルバネの正面図である。
【図１１Ｃ】他の実施形態に係るコイルバネの正面図である。
【発明を実施するための形態】
【０００９】
以下、本開示に係る実施形態を添付図面に従って説明する。
【００１０】
図１は、本実施形態に係るキースイッチの全体を示す斜視図である。図２は、図１からカバー２及びボタン３を取り外した状態を示す斜視図である。図３は、図１のキースイッチの分解斜視図である。このキースイッチは、ベース１、導光体８、カバー２、ボタン３、コイルバネ４、及び、接点開閉機構５を備える。
【００１１】
図４Ａ及び図４Ｂに示すように、ベース１は、合成樹脂材料を成形加工したもので、底部６と方形枠部７とで構成され、底部６に導光体８を備える。
【００１２】
底部６には、中心部分に筒状のガイド部９が形成されている。ガイド部９の中心孔９ａは平面視矩形状で、この矩形状のガイド部９の４個の内側面の両側には上下方向に延びる突条９ｂがそれぞれ形成されている。中心孔９ａには後述する導光体８が圧入される。
【００１３】
ガイド部９の下端部には、外径寸法の大きくなった台座部９ｃが形成されている。また、ガイド部９の外周面には、周方向に４箇所等分で上端から台座部９ｃに向かって同一外径となるまで徐々に広がる傾斜部９ｄが形成されている。これにより、後述するコイルバネ４を傾斜部９ｄで案内しながら、下端の第２座巻部２９ｂを台座部９ｃの外周に位置させることができるようになっている。
【００１４】
ガイド部９の外周側には環状壁１０が設けられ、ガイド部９との間に環状溝１１を形成している。環状壁１０は、対角位置の２箇所で上方側に略三角形状に突出し、その外周面には上下方向に延びる第１突条ガイド１０ａ及び第２突条ガイド１０ｂがそれぞれ形成されている。第１突条ガイド１０ａ及び第２突条ガイド１０ｂには、後述する各接触片３２，３３の一部がそれぞれ当接し、各接触片３２，３３は位置規制されるようになっている。
【００１５】
方形枠部７は、２組の対向壁１２ａ，１２ｂで構成されている。対向壁１２ａ，１２ｂの外面には鍔部１３が形成されている。各対向壁１２ａの上方部分が、両側を除いて切除されることにより第１切除部１２ｃが形成されている。鍔部１３にも、対向壁１２ａの切除部１２ｃよりもやや内側の部分が切除された第２切除部１３ａが形成されている。第２切除部１３ａの下方側は内側に窪んでおり、その上端中央部には係止突部１３ｂが形成されている。各対向壁１２ａの内面は、内側に突出する第１ガイド壁１４Ａ及び第２ガイド壁１４Ｂが形成されている。第１ガイド壁１４Ａ及び第２ガイド壁１４Ｂの中央部は窪んでおり、一端側の突出部分には上下方向に延びる第１ガイド溝１４ａ及び第２ガイド溝１４ｂがそれぞれ形成されている。また、第１ガイド壁１４Ａ及び第２ガイド壁１４Ｂの他端側の突出部分には、上下一対の第１保持爪１４ｃ及び第２保持爪１４ｄがそれぞれ形成されている。
【００１６】
図５に示すように、導光体８は、透光性を有する合成樹脂材料を成形加工したもので、全体としてほぼ直方体形状に形成されている。導光体８の上面には複数の凸レンズ８ａが形成されている。これら凸レンズ８ａにより、光源であるＬＥＤ（Light Emitting Diode）（図示せず）からの光が拡散される。また、導光体８の３側面からは平板状の突片８ｂがそれぞれ形成されている。これら突片８ｂは、導光体８をベース１のガイド部９に形成した中心孔９ａに圧入した際、ガイド部９の上面に当接して上下方向の位置を規制する。
【００１７】
図６に示すように、カバー２は、合成樹脂材料を枠体状に成形加工したもので、上方開口部には内側に突出するフランジ部１５が形成されている。フランジ部１５には、一方の対向壁１６Ａの上端中央部に対応する位置に、後述するボタン３の第２係止受部１６ｂが位置する切欠き１７が形成されている。また、フランジ部には、他方の対向壁１６Ｂの上端中心部に対応する位置から下方に向かって当接受片１８が形成されている。対向壁１６Ｂの外側面には上端中央部から下方に向かって凹所１９が形成され、その下端部には係止孔２０が設けられている。また、対向壁１６Ｂの下端中央部には、さらに下方側へと延びる延在部２１が設けられ、その先端部外面には突部２１ａが形成されている。
【００１８】
図７Ａ及び図７Ｂに示すように、ボタン３は、合成樹脂材料を平面視矩形状に成形加工したもので、仕切壁２２を挟んで上半部と下半部とに分かれている。
【００１９】
ボタン３の上半部は、矩形状の枠体２３で構成されており、対向する側壁の中央部には筒状の第１係止受部２３ａと第２係止受部２３ｂとがそれぞれ形成されている。第１係止受部２３ａは側壁の内側に形成されている。第２係止受部２３ｂは、側壁の内外に跨がって形成されている。これら係止受部２３ａ，２３ｂを利用して、図示しないキーボードのキーキャップが装着されるようになっている。仕切壁２２の中央部には上下を連通する矩形状の開口部２４が形成されている。開口部２４には導光体８が配置され、ＬＥＤ（図示せず）からの光が導光体８を介してキーキャップ（図示せず）へと照射されるようになっている。
【００２０】
ボタン３の下半部には、第１側壁２５と、これに対向する第２側壁２６と、仕切壁２２の下面で開口部２４の周囲に形成される環状溝２７とが形成されている。第１側壁２５の一端部から第２側壁２６に向かって第１弾性片２５ａが突出している。第１弾性片２５ａの先端下部には第１係止爪２５ｂが設けられている。また、第１側壁２５の他端部からは、第２側壁２６に向かって第１当接片２５ｃが突出している。第２側壁２６にも、第１側壁２５と同様に、第２係止爪２６ｂを有する第２弾性片２６ａと第２当接片２６ｃとが設けられている。環状溝２７によって開口部２４との間にガイド筒部２８が形成されている。環状溝２７には後述するコイルバネ４の上端部（第１座巻部２９ａ）が保持されるようになっている。
【００２１】
図８に示すように、コイルバネ４は線材を螺旋状としたもので、上下端部（軸心方向の両端部）に第１座巻部２９ａと第２座巻部２９ｂがそれぞれ形成されている。これら座巻部２９ａ，２９ｂは、見かけ上ばねとして作用しない部分である。ここでは、第１座巻部２９ａ及び第２座巻部２９ｂは共に３巻きとされている。但し、２巻きあるいは４巻き以上とすることも可能である。２巻き以上とする場合、巻線は隙間無く巻き付けられ、圧縮時及び伸長時のいずれの場合であっても、互いに接触した状態を維持するようにすればよい。
【００２２】
第１座巻部２９ａには粗巻部３０が続き、粗巻部３０と第２座巻部２９ｂとの間は密巻部３１となっている。ボタン３を押込操作していない初期状態では、コイルバネ４は、ベース１とボタン３の間で若干圧縮された状態にある。粗巻部３０は、この初期状態において、隣り合う巻線同士の間に隙間が形成される部位である。粗巻部３０は、ベース１とボタン３の間に形成される空間内に位置している。密巻部３１は、コイルバネ４に圧縮力が作用していない自然長の状態では、隣り合う巻線同士に隙間が形成されているが、前記初期状態では、隣り合う巻線同士が接触して隙間が形成されない部位である。密巻部３１の巻き数は４巻きであり、前記第２座巻部２９ｂの巻き数と同じである。密巻部３１はベース１の環状溝１１に配置される。コイルバネ４が自然長であるとき、第１座巻部２９ａ及び第２座巻部２０ｂの巻線のピッチをＰｚ、密巻部３１の巻線のピッチをＰｍ、粗巻部３０の巻線のピッチをＰｓとしたとき、Ｐｚ＜Ｐｍ＜Ｐｓの関係がある。また、各部位での巻線のピッチはそれぞれ等ピッチであるが、全体として見れば、不等ピッチとなっている。
【００２３】
前記構成のコイルバネ４は、第１座巻部２９ａをボタン３の環状溝２７に配置し、第２座巻部２９ｂをベース１の環状溝１１に配置することにより、ボタン３とベース１の間に配置され、ベース１に対してボタン３を上方へと付勢する。なお、コイルバネ４は上下逆向きにして、第１座巻部２９ａをベース１の環状溝１１に配置し、第２座巻部２９ｂをボタン３の環状溝２７に配置するようにしてもよい。
【００２４】
接点開閉機構５は、一対の接触片すなわち第１接触片３２と第２接触片３３とを備え、これらは平板状の銅合金をプレス及び折り曲げ加工することにより形成される。
【００２５】
図９Ａ及び図９Ｂに示すように、第１接触片３２は、第１固定片部３４Ａと第１可動片部３５Ａとで構成されている。第１固定片部３４Ａには、側方に膨らんだ第１圧入部３４ａが形成され、下方に突出する部分が第１端子部３４ｂとなっている。第１固定片部３４Ａの一端側は、２箇所でほぼ９０°に屈曲され、先端平面には第１固定接点３４ｃが一体化されている。第１固定片部３４Ａの他端側は、下半部がそのまま突出する第１被取付片３４ｄとなっている。第１被取付片３４ｄは、ベース１の第１保持爪１４ｄによって保持される。第１可動片部３５Ａは、第１固定片部３４Ａの他端側上半部から下方、次いで側方に向かって屈曲して延びている。第１可動片部３５Ａの先端側には、側面に設けられる第１可動接点３５ａと、湾曲して側方に突出する第１押圧受部３５ｂとが形成されている。
【００２６】
第２接触片３３は、前記第１接触片３２とほぼ同様な構成であり、第１圧入部３４ａに相当する第２圧入部３４ｅ、第１端子部３４ｂに相当する第２端子部３４ｆ、第１固定接点３４ｃに相当する第２固定接点３４ｇ、及び第１被取付片３４ｄに相当する第２被取付片３４ｈを有する第２固定片部３４Ｂを備えている。但し、第２可動片部３５Ｂは、第１可動片部３５Ａとは延在方向が相違し、第２固定片部３４Ｂから上方に向かった後、側方に延在している点で相違する。また、第２可動片部３５Ｂの先端側には、第２可動接点３５ｃと第２押圧受部３５ｄとが形成されている点は、前記第１接触片３２と同様である。
【００２７】
続いて、前記構成のキースイッチの組立方法を説明する。
【００２８】
ベース１のガイド部９に形成した中心孔９ａに導光体８の下端部を圧入する。導光体８は、側面に形成した突片８ｂがガイド部９の上面に当接することにより上下方向の位置が規制される。これにより、導光体８を備えたベース１が得られる。
【００２９】
ベース１のガイド部９の外周側にコイルバネ４を配置する。コイルバネ４は、第２座巻部２９ｂがガイド部９の傾斜部９ｄに導かれて台座部９ｃの外周に配置される。したがって、台座部９ｃの上方側に密巻部３１、次いで粗巻部３０が位置し、上端部は第１座巻部２９ａとなる。このように、ガイド部９の外周側に配置されたコイルバネ４は、ガイド部９に装着された導光体８とは干渉しない位置に配置される。すなわち、コイルバネ４は、ボタン３とベース１との間に形成される導光空間の外部に配置される。したがって、ＬＥＤから出射された光を、導光体８を介してコイルバネ４によって遮られることなく、キーキャップに照射することができる。
【００３０】
ベース１に第１接触片３２、次いで第２接触片３３を組み付ける。
第１接触片３２の組付では、第１圧入部３４ａをベース１の第１ガイド溝１４ａに挿入し、第１被取付片３４ｄを第１保持爪１４ｄに保持させる。このとき、第１接触片３２の第１固定片部３４Ａに環状壁１０に形成した第１突条ガイド１０ａが圧接する。これにより、ベース１に対する第１接触片３２の組付状態が安定する。また、ベース１の下面から第１端子部３４ｂが突出する。
【００３１】
第２接触片３３の組付では、第１接触片３２と同様にして、第２圧入部３４ｅをベース１の第２ガイド溝１４ｂに挿入し、第２被取付片３４ｈを第２保持爪１４ｄに保持させる。第２接触片３３の第２固定片部３４Ｂには環状壁１０に形成した第２突条ガイド１０ｂが圧接する。この状態では、第１接触片３２の第１固定接点３４ｃに、第２接触片３３の第２可動接点３５ｃが閉成可能に対向し、第２接触片３３の第２固定接点３４ｇに、第１接触片３２の第１可動接点３５ａが閉成可能に対向する。
【００３２】
ベース１のガイド部９を覆うようにボタン３を載置する。このとき、ボタン３の環状溝２７内に、コイルバネ４の上端部すなわち第１座巻部２９ａを位置させる。続いて、ベース１にカバー２を被せる。カバー２は、延在部２１に形成した係止孔２０にベース１の係止突部１３ｂが係止することによりベース１に取り付けられる。このとき、ボタン３の第１当接片２５ｃがカバー２の当接受片１８に当接し、ボタン３の上動が規制される。
【００３３】
このようにして組み立てられたキースイッチは、ＬＥＤを実装したプリント基板（図示せず）上に実装して使用する。このとき、プリント基板に形成した端子孔に第１端子部３４ｂ及び第２端子部３４ｆを挿入して固定する。また、ボタン３には、図示しないキーキャップを装着し、キーボードが得られる。
【００３４】
次に、前記構成のキースイッチの動作を説明する。
【００３５】
図示しないキーキャップを押込操作していない初期状態では、図１０に示すように、ボタン３はコイルバネ４によって上方に付勢され、突出位置に位置決めされる。この状態では、第１接触片３２の第１押圧受部３５ｂにボタン３の第１当接片２５ｃが当接し、第１可動片部３５Ａを弾性変形させ、第１可動接点３５ａを第２接触片３３の第２固定接点３４ｇから離間させる。また、第２接触片３３の第２押圧受部３５ｄにボタンの第２当接片２６ｃが当接し、第２可動片部３５Ｂを弾性変形させ、第２可動接点３５ｃを第１接触片３２の第１固定接点３４ｃから離間させる。したがって、第１接触片３２と第２接触片３３とは導通しない。また、コイルバネ４は、粗巻部３０の隣り合う巻線同士には隙間が形成されているが、密巻部３１の隣り合う巻線同士は互いに接触した接触状態にあり、隙間は形成されていない。
【００３６】
キーキャップを介してボタン３を、コイルバネ４の付勢力に抗して押し下げると、第１接触片３２では、ボタン３の第１当接片２５ｃによる第１押圧受部３５ｂの押圧状態が解除される。また、第２接触片３３では、ボタン３の第２当接片２６ｃによる第２押圧受部３５ｄの押圧状態が解除される。これにより、第１可動接点３５ａが第２固定接点３４ｇに閉成し、第２可動接点３５ｃが第１固定接点３４ｃに閉成する。つまり、第１接触片３２と第２接触片３３とが導通し、キー操作が行われたことが検出可能となる。このとき、コイルバネ４では、粗巻部３０において隣り合う巻線の間隔が狭くなる。
【００３７】
ここで、キーキャップの押込状態を解除すると、コイルバネ４の付勢力によりボタン３が上動する。ボタン３が上動する際、コイルバネ４は軸心方向に振動する。このとき、密巻部３１が隣り合う巻線同士を接触させた接触状態から、巻線同士の間に隙間が形成された離間状態となり、その後接触状態、離間状態を繰り返す。この結果、第２座巻部２９ｂに対して隣接する密巻部３１の巻線が衝突する。また、密巻部３１でも隣り合う巻線同士が衝突する。これにより、コイルバネ４の持つ弾性エネルギーが急速に消費され、コイルバネ４の振動を早期に減衰させることができる。つまり、サージングの発生を抑制することが可能となる。ここでは、第２座巻部２９ｂを３巻きとしたが、２巻き以上とすることで、サージングの発生を抑制できる。
【００３８】
なお、本開示は、前記実施形態に記載された構成に限定されるものではなく、種々の変更が可能である。
【００３９】
前記実施形態では、コイルバネ４を、第２座巻部２９ｂに密巻部３１を連続させた構成としたが、第１座巻部２９ａに連続させた構成としてもよい。すなわち、コイルバネ４を、図１１Ａに示すように、第１座巻部２９ａ、密巻部３１、粗巻部３０、第２座巻部２９ｂの順でつながった構成としてもよい。
【００４０】
また、第１座巻部２９ａと第２座巻部２９ｂのそれぞれに密巻部３１を連続させた構成としてもよい。すなわち、コイルバネ４を、図１１Ｂに示すように、第１座巻部２９ａ、密巻部３１、粗巻部３０、密巻部３１、第２座巻部２９ｂの順でつながった構成としてもよい。
【００４１】
さらに、コイルバネ４の一端側にのみ座巻部を備えた構成としてもよい。すなわち、コイルバネ４を、図１１Ｃに示すように、粗巻き部３０、密巻部３１及び第２座巻部２９ｂの順でつながった構成としてもよい。
【００４２】
いずれの場合でも、前記実施形態と同様に、キーキャップの押込状態を解除してボタン３を上動させることにより発生するコイルバネ４でのサージングを、前記実施形態と同様の原理により抑制することができる。
【００４３】
本開示の第１態様のキースイッチでは、
ベース（１）と、
前記ベース（１）に対して接離可能に取り付けられるボタン（３）と、
前記ベース（１）と前記ボタン（３）の間に配置され、前記ベース（１）に対して前記ボタン（３）を離間方向へと付勢するコイルバネ（４）と、
を備え、
前記コイルバネ（４）は、一端部に形成される座巻部（２９ｂ）と、前記座巻部（２９ｂ）に連続し、前記ベース（１）に対して前記ボタン（３）を取り付けた初期状態で圧縮されて、隣接する巻線同士が接触する密巻部（３１）と、前記密巻部（３１）に連続し、巻線ピッチが前記密巻部（３１）の巻線ピッチよりも大きく、前記初期状態で、隣接する巻線同士が離れている粗巻部（３０）とを少なくとも備える。
【００４４】
この構成により、ボタンの押込状態を解除すると、コイルバネの付勢力によってボタンが元の位置に復帰する。このとき、コイルバネが振動するが、座巻部に隣接する密巻部の巻線が座巻部に衝突する。また、密巻部の巻線同士も互いに衝突する。これにより、コイルバネが有する弾性エネルギーが消費され、振動は急速に減衰する。この結果、サージングの発生を抑制できる。
【００４５】
本開示の第２態様のキースイッチでは、前記コイルバネ（４）は、他端部に座巻部（２９ａ）を備える。
【００４６】
本開示の第３態様のキースイッチでは、前記コイルバネ（４）は、前記他端部の座巻部（２９ａ）と前記粗巻き部（３０）との間に密巻部（３１）を備える。
【００４７】
この構成により、コイルバネの他端部でも一端部と同様に、線材同士の衝突によって弾性エネルギーを消費でき、より一層、振動を減衰させてサージングの発生を抑制可能となる。
【００４８】
本開示の第４態様のキースイッチでは、前記コイルバネ（４）の一端部又は他端部に形成される座巻部（２９ａ又は２９ｂ）は、２以上の巻線で構成されている。
【００４９】
この構成により、より一層サージングの発生を抑制することができる。
【００５０】
本開示の第５態様のキースイッチでは、前記座巻部（２９ａ又は２９ｂ）と前記密巻部（３１）との巻線数が同じである。
【００５１】
この構成により、座巻部と、隣り合う巻線同士が接着した状態での密巻部との剛性をほぼ同じとすることができる。この結果、コイルバネが振動して座巻部に密巻部の巻線が衝突し、密巻部の巻線同士が衝突することにより、弾性エネルギーの消費量を大きくして、さらに振動を減衰しやすくすることができる。
【００５２】
本開示の第６態様のキースイッチでは、前記座巻部（２９ａ）は前記ボタン（３）と接触する。
【００５３】
この構成により、ボタンの押込状態を解除してコイルバネの付勢力によってボタンが元の位置に復帰する際、最初に座巻部に密巻部の巻線を衝突させることができる。したがって、より早期にコイルバネの振動を減衰させることが可能となる。
【００５４】
本開示の第７態様のキースイッチでは、前記座巻部（２９ｂ）は前記ベース（１）と接触する。
【００５５】
本開示の第８態様のキースイッチでは、前記コイルバネ（４）は、前記ボタン（３）と前記ベース（１）との間に形成される導光空間の外部に配置されている。
【００５６】
この構成により、コイルバネの構成を変更してサージングの発生を抑制する場合であっても、コイルバネが光を遮ることがないため、キースイッチの照明状態を良好な状態に維持することができる。
【産業上の利用可能性】
【００５７】
本開示に係るキースイッチは、キーボード等に採用することができる。
【符号の説明】
【００５８】
１…ベース
２…カバー
３…ボタン
４…コイルバネ
５…接点開閉機構
６…底部
７…方形枠部
８…導光体
８ａ…凸レンズ
８ｂ…突片
９…ガイド部
９ａ…中心孔
９ｂ…突条
９ｃ…台座部
９ｄ…傾斜部
１０…環状壁
１０ａ…第１突条ガイド
１０ｂ…第２突条ガイド
１１…環状溝
１２ａ，１２ｂ…対向壁
１２ｃ…第１切除部
１３…鍔部
１３ａ…第２切除部
１３ｂ…係止突部
１４Ａ…第１ガイド壁
１４Ｂ…第２ガイド壁
１４ａ…第１ガイド溝
１４ｂ…第２ガイド溝
１４ｃ…第１保持爪
１４ｄ…第２保持爪
１５…フランジ部
１６Ａ，１６Ｂ…対向壁
１７…切欠き
１８…当接受片
１９…凹所
２０…係止孔
２１…延在部
２１ａ…突部
２２…仕切壁
２３…枠体
２３ａ…第１係止受部
２３ｂ…第２係止受部
２４…開口部
２５…第１側壁
２５ａ…第１弾性片
２５ｂ…第１係止爪
２５ｃ…第１当接片
２６…第２側壁
２７…環状溝
２８…ガイド筒部
２９ａ…第１座巻部
２９ｂ…第２座巻部
３０…粗巻部
３１…密巻部
３２…第１接触片
３３…第２接触片
３４Ａ…第１固定片部
３４Ｂ…第２固定片部
３４ａ…第１圧入部
３４ｂ…第１端子部
３４ｃ…第１固定接点
３４ｄ…第１被取付片
３４ｅ…第２圧入部
３４ｆ…第２端子部
３４ｇ…第２固定接点
３４ｈ…第２被取付片
３５Ａ…第１可動片部
３５Ｂ…第２可動片部
３５ａ…第１可動接点
３５ｂ…第１押圧受部
３５ｃ…第２可動接点
３５ｄ…第２押圧受部
【図１】
2019046654.tif 000003
【図２】
2019046654.tif 000004
【図３】
2019046654.tif 000005
【図４Ａ】
2019046654.tif 000006
【図４Ｂ】
2019046654.tif 000007
【図５】
2019046654.tif 000008
【図６】
2019046654.tif 000009
【図７Ａ】
2019046654.tif 000010
【図７Ｂ】
2019046654.tif 000011
【図８】
2019046654.tif 000012
【図９Ａ】
2019046654.tif 000013
【図９Ｂ】
2019046654.tif 000014
【図１０】
2019046654.tif 000015
【図１１Ａ】
2019046654.tif 000016
【図１１Ｂ】
2019046654.tif 000017
【図１１Ｃ】
2019046654.tif 000018